(57)【要約】 【課題】  作業者に対して長押し時間の指標を与えることができる構成を提供する。【解決手段】  検出センサ１０は、被検出物の検出状態に応じたレベルの検出信号を出力する受光手段２４を備え、検出信号のレベルと所定の検出条件とに基づいて被検出物を検出可能とされている。また、作業者による操作が可能な操作手段１１を有し、操作手段１１が連続して操作された場合にその連続操作時間を測定し、連続操作時間が第１基準時間以上である場合に所定操作が行われたことを認識し、その認識された所定操作に基づく処理を行うように構成されている。さらに、表示手段１６が設けられており、操作手段１１での連続操作時間が、第１基準時間より短い第２基準時間以上である場合に、連続操作時間に応じた情報を表示手段１１に表示させるように構成されている。【選択図】  図２
2007064782.tif 000002
【特許請求の範囲】
【請求項１】
被検出物の検出状態に応じたレベルの検出信号を出力する物理量検出手段と、
前記検出信号のレベルと所定の検出条件とに基づいて前記被検出物の検出を行う被検出物検出手段と、
作業者による操作が可能な操作手段と、
前記操作手段が連続して操作された場合にその連続操作時間を測定し、前記連続操作時間が第１基準時間以上である場合に所定操作が行われたことを認識する操作認識手段と、
前記操作認識手段にて認識された前記所定操作に基づく処理を行う処理実行手段と、
を備えた検出センサであって、
表示手段と、
前記表示手段の表示制御を行う表示制御手段と、を有し、
前記表示制御手段は、
前記操作手段での前記連続操作時間が、前記第１基準時間より短い第２基準時間以上である場合に、当該連続操作時間に応じた情報を前記表示手段に表示させることを特徴とする検出センサ。
【請求項２】
前記連続操作時間に応じた情報は、前記連続操作時間と前記第１基準時間との差に応じた差分情報であることを特徴とする請求項１に記載の検出センサ。
【請求項３】
前記表示制御手段は、
前記操作手段での前記連続操作時間と、前記第１基準時間との差に応じたレベルのバーグラフを、前記表示手段に表示させることを特徴とする請求項２に記載の検出センサ。
【請求項４】
前記表示手段は、デジタル表示部によって構成されており、
前記表示制御手段は、
前記被検出物検出手段にて前記被検出物の検出が行われている際には、前記検出信号に応じたレベルを前記デジタル表示部に表示させ、
前記操作手段での前記連続操作時間が前記第２基準時間以上となった場合には、当該連続操作時間と前記第１基準時間との差に応じたレベルを、前記デジタル表示部に表示させることを特徴とする請求項２に記載の検出センサ。
【請求項５】
前記操作手段の操作に基づき、前記検出信号のレベルを表示する表示モードと、前記連続操作時間と前記第１基準時間との差に応じたレベルを表示する表示モードとを自動的に切り替えるモード切替制御手段を有することを特徴とする請求項４に記載の検出センサ。
【請求項６】
前記表示手段は、７セグメント形式の複数のデジタル表示部によって構成されており、
前記表示制御手段は、
前記被検出物検出手段にて前記被検出物の検出が行われている際には、前記検出信号のレベルを前記デジタル表示部に表示させ、
前記操作手段での前記連続操作時間が前記第２基準時間以上となった場合には、当該連続操作時間と前記第１基準時間との差に応じたレベルを、各デジタル表示部のセグメントを用いてバーグラフ表示させることを特徴とする請求項３に記載の検出センサ。
【請求項７】
前記表示制御手段は、
前記操作手段での前記連続操作時間が前記第１基準時間以上となった場合、前記表示手段における表示内容を、前記連続操作時間と前記第１基準時間との差に応じた表示内容から、前記操作認識手段にて認識された前記所定操作に応じた表示内容に変更することを特徴とする請求項１ないし請求項６のいずれかに記載の検出センサ。
【発明の詳細な説明】
【技術分野】
【０００１】
本発明は、検出センサに関する。
【背景技術】
【０００２】
従来から、タイマ動作や応答時間、ヒステリシスなど、複数条件の設定変更が可能とされた検出センサが提供されている。このような設定変更可能な検出センサにおいては、検出動作中に誤って作業者が操作キーに触れるなどして設定条件が変更されてしまう虞がある。これに対し、このような問題を解決しうる構成として、特許文献１のような技術が提供されている。特許文献１では、４２段落において、キーロックに関する記載がなされており、このようにキーロックを可能とすることで、作業者による誤った設定変更を防止できることとなる。
【特許文献１】特開２０００−２１４９０８公報
【発明の開示】
【発明が解決しようとする課題】
【０００３】
上記特許文献１のような従来技術では、操作キーを一定時間以上長押しした場合に、それ以降の操作キーの操作を無効化するようにして誤操作による設定変更を防止していた。
【０００４】
しかしながら、単に長押しによって誤操作を防止する構成としただけでは、無効化に至るまでの操作時間（長押し時間）を作業者が直感的に把握しにくく、操作をどの程度継続すればよいのかわかりにくいため、操作性の点で問題があった。また、作業者が長押しを要するボタンを誤って操作した場合に、作業者に何の情報も与えない構成では、作業者が間違いを認識しにくく、利便性の点でも問題があった。
【０００５】
本発明は上記のような事情に基づいて完成されたものであって、作業者に対して長押し時間の指標を与えることができる構成を提供することを目的とする。
【課題を解決するための手段】
【０００６】
上記の目的を達成するための手段として、請求項１の発明は、被検出物の検出状態に応じたレベルの検出信号を出力する物理量検出手段と、
前記検出信号のレベルと所定の検出条件とに基づいて前記被検出物の検出を行う被検出物検出手段と、
作業者による操作が可能な操作手段と、
前記操作手段が連続して操作された場合にその連続操作時間を測定し、前記連続操作時間が第１基準時間以上である場合に所定操作が行われたことを認識する操作認識手段と、
前記操作認識手段にて認識された前記所定操作に基づく処理を行う処理実行手段と、
を備えた検出センサであって、
表示手段と、
前記表示手段の表示制御を行う表示制御手段と、を有し、
前記表示制御手段は、
前記操作手段での前記連続操作時間が、前記第１基準時間より短い第２基準時間以上である場合に、当該連続操作時間に応じた情報を前記表示手段に表示させることを特徴とする。
【０００７】
請求項２の発明は、請求項１の検出センサにおいて、
前記連続操作時間に応じた情報は、前記連続操作時間と前記第１基準時間との差に応じた差分情報であることを特徴とする。
【０００８】
請求項３の発明は、請求項２に記載の検出センサにおいて、
前記表示制御手段は、
前記操作手段での前記連続操作時間と、前記第１基準時間との差に応じたレベルのバーグラフを、前記表示手段に表示させることを特徴とする。
【０００９】
請求項４の発明は、請求項２に記載の検出センサにおいて、
前記表示手段は、デジタル表示部によって構成されており、
前記表示制御手段は、
前記被検出物検出手段にて前記被検出物の検出が行われている際には、前記検出信号のレベルを前記デジタル表示部に表示させ、
前記操作手段での前記連続操作時間が前記第２基準時間以上となった場合には、当該連続操作時間と前記第１基準時間との差に応じたレベルを、前記デジタル表示部に表示させることを特徴とする。
【００１０】
請求項５の発明は、請求項４に記載の検出センサにおいて、前記操作手段の操作に基づき、前記検出信号のレベルを表示する表示モードと、前記連続操作時間と前記第１基準時間との差に応じたレベルを表示する表示モードとを自動的に切り替えるモード切替制御手段を有することを特徴とする。
【００１１】
請求項６の発明は、請求項３に記載の検出センサにおいて、
前記表示手段は、７セグメント形式の複数のデジタル表示部によって構成されており、
前記表示制御手段は、
前記被検出物検出手段にて前記被検出物の検出が行われている際には、前記検出信号のレベルを前記デジタル表示部に表示させ、
前記操作手段での前記連続操作時間が前記第２基準時間以上となった場合には、当該連続操作時間と前記第１基準時間との差に応じたレベルを、各デジタル表示部のセグメントを用いてバーグラフ表示させることを特徴とする。
【００１２】
請求項７の発明は、請求項１ないし請求項６のいずれかに記載の検出センサにおいて、
前記表示制御手段は、
前記操作手段での前記連続操作時間が前記第１基準時間以上となった場合、前記表示手段における表示内容を、前記連続操作時間と前記第１基準時間との差に応じた表示内容から、前記操作認識手段にて認識された前記所定操作に応じた表示内容に変更することを特徴とする。
【発明の効果】
【００１３】
＜請求項１の発明＞
請求項１の発明によれば、作業者に対して長押し時間の指標を与えることができるため、作業者は操作をどの程度継続すればよいのか把握しやすく、操作性に優れた構成となる。また、作業者が長押しを要するボタンを誤って操作した場合に、作業者に情報が与えられるため、作業者が間違いを認識しやすく、利便性に優れた構成となる。
【００１４】
＜請求項２の発明＞
請求項２の発明によれば、連続操作時間と第１基準時間との差に応じた差分情報を提供できるため、作業者はどの程度長押しを継続すればよいのかをより適切に把握でき、より操作性に優れた構成となる。
【００１５】
＜請求項３の発明＞
請求項３の構成では、操作手段での連続操作時間と、第１基準時間との差に応じたレベルのバーグラフを、表示手段に表示させるようにしているため、簡易な構成にて差分情報を提供できる好適例となる。
【００１６】
＜請求項４の発明＞
請求項４の発明によれば、被検出物検出手段にて被検出物の検出が行われている際には、検出信号のレベルをデジタル表示部に表示させ、操作手段での連続操作時間が第２基準時間以上となった場合には、連続操作時間と第１基準時間との差に応じたレベルを、デジタル表示部に表示させるようにしているため、デジタル表示部を２種の表示に兼用できることとなる。従って、別途特別な表示装置を設けることなく差分情報を提供できるため、低コストにて高機能を提供できる。
【００１７】
＜請求項５の発明＞
請求項５の発明では、操作手段の操作に基づき、検出信号のレベルを表示する表示モードと、連続操作時間と第１基準時間との差に応じたレベルを表示する表示モードとを切り替えるモード切替手段を設けているため、作業者が状況に応じて容易にモード変更できることとなる。よって、より使い勝手の良い構成となる。
【００１８】
＜請求項６の発明＞
請求項６の発明では、被検出物検出手段にて被検出物の検出が行われている際には、検出信号のレベルを７セグメント形式のデジタル表示部に表示させ、操作手段での連続操作時間が第２基準時間以上となった場合に、連続操作時間と第１基準時間との差に応じたレベルを、各デジタル表示部のセグメントを用いてバーグラフ表示させている。従って、７セグメント形式のデジタル表示部を２種の表示に兼用できると共に、第２基準時間以上となったときに表示内容がスムーズに移行することとなる。よって、簡易に高機能を実現でき、かつ操作性も一層優れた構成となる。
【００１９】
＜請求項７の発明＞
請求項７の発明では、操作手段での連続操作時間が第１基準時間以上となった場合、表示手段における表示内容を、連続操作時間と第１基準時間との差に応じた表示内容から、操作認識手段にてされた所定操作に応じた表示内容に変更するようにしている。よって、第１基準時間を経過すると表示内容が所望の内容にスムーズに移行することとなり、より一層使い勝手の良い構成となる。
【発明を実施するための最良の形態】
【００２０】
＜実施形態１＞
本発明の実施形態１を図面を参照しつつ説明する。
１．全体構成
図１は第１実施形態に係る検出センサを示し、図２には検出センサのブロック図を示している。また、図３には検出センサが複数隣接配置されて構成されるセンサシステムを示す。図１では、検出センサ１０として複数の機能を備えたファイバセンサを例示しており、このファイバセンサは、各機能にそれぞれ対応した複数の設定項目を選択的に表示可能な表示手段１６と、作業者によって入力操作可能に構成される操作手段１１とを備えた構成をなしている。なお、図２に示す操作手段１１は、図１に示すモードキー（第１キー１２）及びスイッチ（第２キー１４）を総称するものである。
【００２１】
検出センサ１０は、図２に示すように、所定の検出領域へ光を照射する投光素子（投光手段２２）と、投光素子から照射された光を受光する受光手段２４とを備えている。受光手段２４は、物理量検出手段に相当し、被検出物の検出状態に応じたレベルの検出信号を出力する。さらに、他の検出センサや制御ユニットから情報を受信するための受信手段２６、他の検出センサや制御ユニットに対して情報を送信するための送信手段２８、各種データを記憶するためのメモリ３２をそれぞれ備えている。また、各種制御を行うＣＰＵ２０が設けられており、ＣＰＵ２０は、特許請求の範囲でいう操作認識手段、表示制御手段、被検出物検出手段、処理実行手段、モード切替制御手段に相当している。
【００２２】
また、受光手段２４の受光量に基づいて被検出物の検出を行うように構成されている。さらに、投光素子の近傍に配置され、投光素子から照射される投光量を監視するモニタ用受光素子２３を有している。
【００２３】
図２に示す表示手段１６は、図１に示す４桁の７セグメント形式のＬＥＤ表示部１６Ａ〜１６Ｄを総称するものである。本実施形態では、上述の操作手段１１による入力操作に基づいて、複数の設定項目を切り換えて表示手段１６に表示するよう制御を行うようになっている。
【００２４】
本実施形態に係る検出センサ１０は、設定変更可能な複数の機能を備えた構成をなすものであるが、この複数機能の一例として、モニタ用受光素子２３の受光量に基づいて投光素子から照射される投光量が所定量となるように投光素子を駆動する機能を有している。そして、機能の設定変更の一例としては、このような駆動方法を有効化するか無効化するかのいずれかの設定を行うものが備わっている。駆動を無効化する設定がなされた場合には、その設定情報がメモリ３２に記憶されることとなり、以降の処理においては、このような駆動制御方法が禁止されるように制御がなされることとなる。
【００２５】
（基本設定）
また、検出センサ１０では、操作認識手段（即ちＣＰＵ２０）で認識された操作に基づいて各種設定が可能とされており、この各種設定は、具体的には、図５に示す基本設定と図７に示す詳細設定処理とに分けられる。基本設定処理は、ＲＵＮ状態（即ち通常検出状態）において第１キー１２を押すことにより処理が開始され、図３に示すように、まず通常検出状態からＴＥＡＣＨ状態（ティーチングモード）に切り替わる。その後、第１キー１２を押すごとに、「ＡＤＪ」（アジャスト設定）→「Ｌ／Ｄ  ＯＮ」（Ｌ／Ｄ  ＯＮ設定）→「ＴＩＭＥＲ」（タイマ動作設定）→「ＰＲＯ」（詳細設定）→「ＭＡＳ」（マスク設定）→「ＲＵＮ」（通常検出状態）と切り替わるようになっている。基本設定の状態は、１８Ａ〜１８Ｇのランプにて表示されるようになっている。具体的な処理の流れの一例としては図６に示すようなフローチャートのようなものが挙げられ、本実施形態では、各設定モードがランプ１８Ａ〜１８Ｇに表示された状態で所定の操作を行うと、モード毎の処理が可能となる。
【００２６】
本実施形態に係る検出センサ１０では、図３に示す基本設定処理の「ＰＲＯ」モードにおいて詳細設定を行うことができ、Ｓ１８０にて各種設定処理が選択された場合にＳ１８０にてＹに進んで実行される。制御手段たるＣＰＵ２０は、操作手段１１の操作に応じて、設定項目を切り換えて表示手段１６へ表示させるように制御を行う。
【００２７】
具体的には、「ＰＲＯモード」において、第２キー１４を＋側へ１回倒すと、応答時間切換に切り替わり、応答時間切換を行いたいときはこの状態でもう一度第２キー１４を押すと設定画面に切り替わって応答時間が設定可能となる。他の設定をしたいときは、先の応答時間切換状態から第２キー１４を＋側へ倒すと、その回数によって、応答時間切換→タイマ設定→ヒステリシス→スタビリティ→キーロック時間設定→応答時間切換と順次切り替わることとなる。そして、所望の状態で第２キー１４をプッシュすると、その設定が行えることとなる。設定が終わった状態で、第１キーの非操作状態を所定時間以上続けると、無効化状態となり、その後、ＲＵＮ状態に復帰して通常検出を再開することとなる。検出センサ１０では、このように設定された検出条件に基づき被検出物の検出を行うように構成されている。
【００２８】
上述のように、検出センサ１０は、設定変更可能な１又は複数の機能を備え、作業者による操作が可能な操作手段１１を有している。そして、この操作手段１１の操作に基づき、検出に利用される各種機能の設定が行われるように構成され、この機能の設定に基づいて被検出対象の検出が行われるように構成されている。
【００２９】
本実施形態に係る検出センサ１０は、ＣＰＵ２０により、操作手段１１が連続して操作された場合にその連続操作時間を測定し、操作手段１１がキーロック時間（第１基準時間）以上連続して操作されたことを条件に、その操作を認識するように構成されている。そして、その認識された操作に基づく処理を行うようになっている。
【００３０】
さらに、操作手段１１での連続操作時間が、キーロック時間（このキーロック時間は第１基準時間に相当する）より短い一定時間（この一定時間が第２基準時間に相当する）以上である場合に、連続操作時間に応じた情報を表示手段１６に表示させるようにしている。具体的には、連続操作時間に応じた情報として、連続操作時間と第１基準時間との差に応じた差分情報を表示するようにしている。
【００３１】
表示手段１６は、７セグメント形式のデジタル表示部によって構成されており、受光素子２４にて被検出物の検出が行われている際には、その受光素子２４からの検出信号のレベルをデジタル表示部に表示（例えば数値表示）させるようにしている。他方、操作手段１１での連続操作時間が予め定められる一定時間（第２基準時間）以上となった場合には、連続操作時間と第１基準時間との差に応じたレベルを、差分情報として、デジタル表示部に表示させるようにしている。連続操作時間と第１基準時間との差に応じたレベル表示としては、図１０ないし図１２に示すように、操作手段１１での連続操作時間と第１基準時間との差に応じたレベルのバーグラフであってもよく、図１３ないし図１５に示すように、連続操作時間と第１基準時間との差に応じたレベルの数値情報であってもよい。なお、表示制御の詳細については後述する。
【００３２】
また、本実施形態では、操作に要するキーロック時間（第１基準時間）を設定変更できるようにも構成されている。即ち、操作手段１１がキーロック時間以上連続して操作されたときに、その操作が認識され、各種設定変更が可能な有効化状態となる。一方、所定条件下において、操作手段１１が所定時間以上連続して操作されないときには、各種設定変更が行えない無効化状態とするように制御を行う。
【００３３】
操作手段１１は、設定動作を行う設定モードと、検出動作を行う検出モードとを切替可能な第１キー１２と、設定モードの際に、設定動作を行うための情報を入力可能な第２キー１４とを有し、ＣＰＵ２０では、第１キー１２が上述の所定時間（即ちキーロック時間Ｎ）以上連続して操作されないときに、機能の設定を無効化状態（具体的には第１キー１２をキーロック時間Ｎ以上操作しないと各種設定ができなくなる状態）とし、他方、第１キー１２がキーロック時間Ｎ以上連続して操作されたときに機能の設定を有効化状態とするように制御を行う。即ち、ＣＰＵ２０（操作認識手段）により操作手段１１（ここでは第１キー１２）の操作がキーロック時間Ｎ以上連続したものと認識された場合に、検出モードから設定モードへの切り換えが行われるようになっている。一方、設定モードにおいて、ＣＰＵ２０（操作認識手段）により、操作手段１１が所定時間以上連続して操作されなかったことが検出された場合に、設定モードから検出モードへの切り換えが行われるようになっている。
【００３４】
次に、図５ないし図８を参照し、処理の流れについて説明する。
本実施形態では、各種設定処理は、作業者がＲＵＮモードにおいて操作手段１１を操作することにより開始される。そして、Ｓ１０にて操作手段１１が、一定時間（第２基準時間以上）以上長押しされたか否かを判断し，長押しされた場合には、それまでの連続操作時間とキーロック時間（第１基準時間）との差に応じた差分情報を表示する（Ｓ２０）。この差分情報は連続操作時間の増加に伴って変化するものであるため、表示も連続操作時間の増加に伴って変化することとなる。
【００３５】
具体的には、操作手段１１での連続操作時間が一定時間（第２基準時間）以上となった場合に、図１０に示すように、連続操作時間とキーロック時間（第１基準時間）との差に応じたレベルを、各デジタル表示部のセグメントを用いてバーグラフ表示させ、図１１、図１２に示すように、連続操作時間の増加に伴い、バーの数を減少させるように表示制御を行う。そして、その長押しがキーロック時間Ｎ以上持続した場合には、Ｓ３０にてＹｅｓに進み、Ｓ４０にて設定処理を行う。そして、このように操作手段１１での連続操作時間がキーロック時間（第１基準時間）以上となった場合、表示手段１６における表示内容を、連続操作時間と第１基準時間との差に応じた表示内容（即ち差分情報の表示）から、認識された所定操作（連続操作、即ち、キーロックを解除する解除操作）に応じた表示内容（即ち、Ｓ４０にて設定処理を行うための表示内容）に変更するようにしている。
【００３６】
なお、連続操作時間とキーロック時間（第１基準時間）との差に応じたレベルは、図１３のように、各デジタル表示部のセグメントを用いて数値表示してもよく、この場合、図１４、図１５に示すように、連続操作時間の増加に伴い、数値を減少させるように表示制御を行う。
【００３７】
設定処理では、Ｓ１００、Ｓ１２０、Ｓ１４０、Ｓ１６０、Ｓ１８０、Ｓ２００に示すように、それぞれの機能が設定可能とされており、いずれかの機能の設定変更を行う場合には、Ｓ１００、Ｓ１２０、Ｓ１４０、Ｓ１６０、Ｓ１８０、Ｓ２００にてＹｅｓが選択され、Ｓ１１０、Ｓ１３０、Ｓ１５０、Ｓ１７０、Ｓ１９０、Ｓ２１０にて設定が行われることとなる。
【００３８】
また、無効化状態とするまでのキーロック時間を設定する場合には、Ｓ１８０にてＹｅｓに進みＳ１９０の処理で行うこととなる。Ｓ１９０の処理では、詳細な設定が行えるようになっており、図７に示すように、各処理（処理１ないし処理４）、キーロック時間設定処理の詳細設定を行う。処理１ないし処理４は、図４に示す、応答時間切換、タイマ設定、ヒステリシス、スタビリティ、シフトのそれぞれの設定変更処理に相当するものである。
【００３９】
一方、無効化状態に至るまでの時間を設定を行う場合（即ち、キーロック時間の設定を行う場合）には、Ｓ４１０にてＹｅｓが選択され、Ｓ４２０の処理が行われることとなる。このＳ４２０の処理では、図８に示すように、キーロック時間を設定する場合に、Ｓ４２１にてＹｅｓに進み、キーロック時間の入力を促すと共に、作業者からキーロック時間が入力された場合、そのキーロック時間（キーロック時間Ｎ）をメモリに記憶することとなる。記憶されたキーロック時間Ｎは、図５の処理で用いられることとなる。
【００４０】
図５に戻り、設定処理が終了した後、メモリに記憶されたキーロック時間Ｎ以内に操作がなされた場合、Ｓ４０の処理を再び繰り返すこととなる。他方、設定処理が終了した後、キーロック時間Ｎ以内に操作がなされない場合、Ｓ６０にて無効化状態に設定する。無効化状態に設定されると、キーロック時間Ｎをを超える長押しがなされない限り設定変更が行えなくなり（即ち、Ｓ３０においてＮとなる）、逆にキーロック時間Ｎを超える長押しがなされると、設定変更可能な有効化状態となる（即ち、Ｓ３０にてＹｅｓに進むこととなり、Ｓ４０の設定処理が可能となる）。
【００４１】
なお、図９のようにしてもよい。図９では、第１キー１２（モードキー）がキーロック時間Ｎ以上長押しされた場合に、図６に示す設定処理が開始されるように処理がなされ、第１キー１２と第２キー１４とが共にキーロック時間Ｎ以上長押しされた場合に、無効化処理を行うようになっている（Ｓ６３０）。即ち、図５の例では、設定処理後、非操作状態で一定時間経過した場合に自動的にキーロック状態となっていたが、図９の例では、図５におけるＳ５０、Ｓ６０の処理を省略し、図９（ｂ）のように、第１キー１２及び第２キー１４がキーロック時間Ｎ以上長押しされた場合にキーロックがＯＮ（無効化状態）となるように構成されている。なお、無効化状態となった場合には、Ｓ５２０に示すように、第１操作キー１２がキーロック時間Ｎ以上長押しされた場合にのみＳ５３０の設定処理が行えることとなる（即ち、この場合にのみ機能の設定変更が行えることとなる）。
【００４２】
図９の例では、Ｓ５００、Ｓ５１０に示すように、設定処理を開始する場合にも、また、Ｓ６００、Ｓ６１０に示すように、無効化状態とする場合にも、長押しが一定時間経過した場合に、それまでの連続操作時間とキーロック時間（第１基準時間）との差に応じた差分情報を表示するようにしている。いずれの差分情報の表示においても、図１０ないし図１２に示すようなものであってもよく、図１３ないし図１５に示すようなものであってもよい。
【００４３】
なお、本実施形態の検出センサ１０は、操作手段１１の操作に基づき、検出信号のレベルを表示する表示モードと、連続操作時間と第１基準時間との差に応じたレベルを表示する表示モードとを切り替える制御が可能とされている。上述したように、ＣＰＵがこのようなモード切替を行うモード切替手段として機能している。
【００４４】
＜他の実施形態＞
（１）上記実施形態では、「連続操作時間に応じた情報」として、連続操作時間と第１基準時間との差に応じた差分情報を表示しているが、連続操作時間を表示するようにしてもよい。この場合、連続操作時間の表示によって作業者がどの程度長押しが進行したのかを把握することができる。
【図面の簡単な説明】
【００４５】
【図１】本発明の実施形態１に係る検出センサを例示する図
【図２】図１の検出センサのブロック図
【図３】第１キーの操作に基づく設定項目の切り替わりを説明する説明図
【図４】キーロック設定を含めた詳細設定の切り替わりを説明する説明図
【図５】機能設定の流れについて説明するフローチャート
【図６】基本設定処理の流れについて説明するフローチャート
【図７】キーロック設定を含めた各種設定の流れを示すフローチャート
【図８】キーロック設定処理について例示するフローチャート
【図９】図５とは異なる処理例について例示するフローチャート
【図１０】連続操作時間と第１基準時間との差に応じたレベルの表示例１を示す説明図
【図１１】図１０に続く図
【図１２】図１１に続く図
【図１３】連続操作時間と第１基準時間との差に応じたレベルの表示例２を示す説明図
【図１４】図１３に続く図
【図１５】図１４に続く図
【符号の説明】
【００４６】
１０…検出センサ
１１…操作手段
１２…第１キー（操作手段）
１４…第２キー（操作手段）
１６…表示手段
２０…ＣＰＵ（操作認識手段、表示制御手段、被検出物検出手段、処理実行手段、モード切替制御手段）
２４…受光手段（物理量検出手段）
【図１】
2007064782.tif 000003
【図２】
2007064782.tif 000004
【図３】
2007064782.tif 000005
【図４】
2007064782.tif 000006
【図５】
2007064782.tif 000007
【図６】
2007064782.tif 000008
【図７】
2007064782.tif 000009
【図８】
2007064782.tif 000010
【図９】
2007064782.tif 000011
【図１０】
2007064782.tif 000012
【図１１】
2007064782.tif 000013
【図１２】
2007064782.tif 000014
【図１３】
2007064782.tif 000015
【図１４】
2007064782.tif 000016
【図１５】
2007064782.tif 000017